(57)【特許請求の範囲】
【請求項１】
横板と縦板からなる十字状の板であって横板と縦板の交点に穴を設けその部分でリベットにて固定した十字状の板を室外機の外郭を構成する前板と側板と後板の上部に取り付けた分離型空気調和機の室外機。
【請求項２】
横板と縦板からなる十字状の板のそれぞれの先端において同一方向の垂直とは異なる角度に曲げた、曲げ部分を持ち、前記曲げ部を室外機の外郭を構成する前板と側板と後板に設けた角穴に差込み固定できるようにした請求項１記載の分離型空気調和機の室外機。
【請求項３】
横板と縦板からなる十字状の板のそれぞれの先端において同一方向の垂直とは異なる角度に曲げた、曲げ部分を持ち、前記横板と前記縦板の全長の長い方の前記曲げ部の長さを長くし、室外機の外郭を構成する前板と側板と後板に設けた角穴に差込み固定できるようにした請求項１記載の分離型空気調和機の室外機。
【発明の詳細な説明】
【０００１】
【発明の属する技術分野】
本発明は、分離型空気調和機の室外機に関するものである。
【０００２】
【従来の技術】
従来の分離型空気調和機の室外機は、図５に示すように、外郭を構成する基板１、側板２、側板３、前板４、後板５及び天板６、からなり、内部に電装部品９、冷凍サイクル７、室外風回路８、より構成されていた。
【０００３】
【発明が解決しようとする課題】
しかしながら、上記従来の構成では、冷凍サイクル７、及び風回路８より発生する振動により前板４、側板２、側板３、後板５及び天板６が振動し、異音などを発生することがあり、また室外機より発生した振動，異音が接続配管を伝わり室内においても不快感を感じることがあった。
【０００４】
本発明はこのような従来の課題を解決するものであり、発生する振動，異音をできるだけ低減させた室外機を提供することを目的とする。
【０００５】
【課題を解決するための手段】
上記課題を解決するために本発明は、室外機の振動，異音を低減させることを目的とする。
【０００６】
上記十字状の板を前板，側板，後板上部に取り付けることによって、冷凍サイクル，風回路より発生する振動が室外機の外郭を構成する前板，側板，後板と天板、に伝わり前板，側板，後板及び天板が振動することを規制し、室外機の振動，異音の発生を低減させることができる。
【０００７】
【発明の実施の形態】
請求項１に記載の発明は、室外機を構成する前板，側板，後板上部に振動することを規制する横板と縦板からなる十字状の板を取り付けたものである。
【０００８】
そして、上記横板と縦板からなる十字状の板において横板と縦板の交点にて穴を設け横板と縦板をリベットによって固定したものである。
【０００９】
また、本発明は、上記横板と縦板からなる十字状の板のそれぞれの先端を同一方向にそれぞれの板に対して垂直とは異なる角度に曲げ、曲げ部を前板と側板と後板に設けた角穴に差込み、十字状の板を固定することができるようにしたものである。
【００１０】
そして、上記横板と縦板からなる十字状の板の先端の曲げ部の長さを横板と縦板の全長の長い方を長くしたものである。
【００１１】
このように空気調和機の外郭を構成する、前板，側板，後板上部に十字状の板を取り付けることにより冷凍サイクル及び風回路より発生した振動が前板，側板，後板に伝わり、前板，側板，後板及び天板が振動することを規制し、室外機における振動，異音の発生を防ぐことができる。
【００１２】
また、横板と縦板をリベットにて固定することにより室外機の組立時において容易に横板と縦板を十字状に構成することができる。かつ、リベットにて固定のため固定点において横板と縦板を回転させることができ輸送時に一本の棒の状態にし、容易な梱包にすることができる。
【００１３】
また、横板と縦板からなる十字状の板の先端を同一方向に垂直とは異なる角度を持って曲げ、曲げ部を前板，側板，後板に設けた角穴に差込むことで容易に十字状の板を前板，側板，後板に固定することができる。
【００１４】
また、十字状の板の曲げ部の長さを全長の長い方の曲げ部を長くすることにより、十字状の板においてそりが発生した場合においても確実に固定することができる。
【００１５】
【実施例】
以下本発明の実施例について図面を参照して説明する。
【００１６】
（実施例１）
図２において、室外機外郭を構成する前板１、側板２、側板３、後板４に横板５と縦板６からなる十字状の板７を取付ける。そしてこの実施例によれば、冷凍サイクル８、及び風回路９より発生した振動が前板１、側板２、側板３、後板４に伝わり前板１、側板２、側板３、後板４が振動し、異音等が発生することを防ぐ。
【００１７】
また、十字状の板７は横板５と縦板６の交点に穴を設けリベット１０にて固定することによって構成される。そしてこの実施例によれば、組立時に容易に十字状に構成することができ、かつ横板５と縦板６をリベット１０を支点とし回転させる事が出来輸送時において十字状の板７を一本の棒の状態にでき、輸送時の梱包形態が容易にできる。
【００１８】
（実施例２）
図３は横板５と縦板６からなる十字状の板７の先端部分を同一方向に垂直とは異なる角度をもって曲げ、曲げ部１１を前板１、側板２、側板３、後板４に設けた角穴１２に差込み、十字状の板７を容易に取り付けることができるようにした。
【００１９】
ちなみに、長さ５２８ｍｍ、幅８ｍｍ、板厚１．２ｍｍの横板と長さ２３５ｍｍ、幅８ｍｍ、板厚１．２ｍｍの縦板を用い十字状の板を構成し、それぞれの先端を角度８８度で曲げ、曲げ部の長さを７．６ｍｍとし、前板，側板の横１．７ｍｍ、縦８．５ｍｍの角穴に固定した。
【００２０】
（実施例３）
図４は横板５と縦板６からなる十字状の板７の先端部分を同一方向に垂直とは異なる角度をもって曲げ、横板５と縦板６の全長の長い方の曲げ部１１の長さを長くし、十字状の板７にそりが発生しても容易に前板１、側板２、側板３、後板４に設けた角穴１２に固定することができた。
【００２１】
ちなみに、長さ５２８ｍｍ、幅８ｍｍ、板厚１．２ｍｍの横板と長さ２３５ｍｍ、幅８ｍｍ、板厚１．２ｍｍの縦板を用い十字状の板を構成し、それぞれの先端を角度８８度で曲げ、横板の曲げ部の長さを１５ｍｍとし縦板の曲げ部の長さを７．６ｍｍとし、前板，側板の横１．７ｍｍ、縦８．５ｍｍの角穴に固定した。
【００２２】
【発明の効果】
上記実施例から明らかなように、請求項１に記載の発明は、室外機外郭を構成する前板，側板，後板に横板と縦板からなる十字状の板を取り付けるもので、この構成によれば、室外機の冷凍サイクル及び風回路から発生する振動が外郭を構成する前板，側板，後板に伝わり前板，側板，後板が振動し、異音などが発生することを低減させることができ、室外機外郭の強度を高めることができる。
【００２３】
また、前板，側板，後板に取り付ける横板と縦板からなる十字状の板を交点においてリベットをもちいて構成するもので、この構成によれば、室外機の組立時に容易に横板と縦板を十字状に構成することができ、作業性を良くすることができ、かつリベットを支点とし、横板，縦板を回転させ、一本の棒の状態にすることができ、十字状の板の輸送時において梱包形態を簡単にすることができる。
【００２４】
また請求項２及び請求項３に記載の発明は、横板と縦板からなる十字状の板の先端部分を同一方向に垂直とは異なる角度をもって曲げ、曲げ部を前板，側板，後板に設けた角穴に差込み、十字状の板を取り付けることができるようにした。また、横板と縦板の全長の長い方の曲げ部の長さを長くした。この構成によれば前板，側板，後板における振動を規制でき、かつ容易に十字状の板を固定でき作業性を向上させることができる。
【図面の簡単な説明】
【図１】本発明の一実施例を示す分離型空気調和機の室外機の一部切欠分解斜視図
【図２】本発明のほかの実施例を示す分離型空気調和機の室外機の一部切欠分解斜視図
【図３】本発明のさらにほかの実施例を示す分離型空気調和機の室外機の一部切欠分解斜視図
【図４】本発明のさらにほかの実施例を示す分離型空気調和機の室外機の一部切欠分解斜視図
【図５】従来の分離型空気調和機の室外機の一部切欠正面図
【符号の説明】
１  前板
２，３  側板
４  後板
５  横板
６  縦板
７  十字状の板
８  冷凍サイクル
９  風回路
１０  リベット
１１  曲げ部
１２  角穴
【図１】
0003613963.tif 000002
【図２】
0003613963.tif 000003
【図３】
0003613963.tif 000004
【図４】
0003613963.tif 000005
【図５】
0003613963.tif 000006